(57)【要約】【課題】印刷資材が変更されても、印刷品質を確保しつつ、輪転印刷機等の印刷機を早期に運転させることが可能な印刷機の情報共有システムを提供する。【解決手段】新聞輪転印刷機１０に接続され、新聞輪転印刷機１０の種別に関する機種情報と、新聞輪転印刷機１０で用いられる印刷資材に関する資材情報と、印刷資材を用いたときの新聞輪転印刷機１０の運転に関する運転情報とを取得可能な情報端末４と、ネットワーク２上に設けられ、機種情報、資材情報および運転情報を、情報端末４との間で通信可能な共有サーバ３と、を備え、共有サーバ３は、機種情報、資材情報および運転情報を関連付けて記憶し、情報端末４は、接続された新聞輪転印刷機１０の機種情報と新聞輪転印刷機１０で用いられる印刷資材の資材情報とに関連付けられた運転情報を、共有サーバ３から取得する。【選択図】図１
2013169721.tif 000002
【特許請求の範囲】
【請求項１】
印刷機に接続され、前記印刷機の種別に関する機種情報と、前記印刷機で用いられる印刷資材に関する資材情報と、前記印刷資材を用いたときの前記印刷機の運転に関する運転情報とを取得可能な情報端末と、
ネットワーク上に設けられ、前記機種情報、前記資材情報および前記運転情報を、前記情報端末との間で通信可能な共有サーバと、を備え、
前記共有サーバは、前記機種情報、前記資材情報および前記運転情報を関連付けて記憶し、
前記情報端末は、接続された前記印刷機の前記機種情報と前記印刷機で用いられる前記印刷資材の前記資材情報とに関連付けられた前記運転情報を、前記共有サーバから取得することを特徴とする印刷機の情報共有システム。
【請求項２】
前記共有サーバとの間で通信可能に接続され、関連付けられた前記機種情報、前記資材情報および前記運転情報を前記共有サーバから取得し、取得した前記機種情報、前記資材情報および前記運転情報を分析して得られた分析情報を、前記共有サーバを介して前記情報端末へ提供可能な分析情報提供端末をさらに備えたことを特徴とする請求項１に記載の印刷機の情報共有システム。
【請求項３】
前記運転情報は、前記印刷機を初期設定するためのプリセット情報を含み、
前記印刷機は、前記共有サーバから取得した前記プリセット情報に基づいて、初期設定されることを特徴とする請求項１または２に記載の印刷機の情報共有システム。
【請求項４】
前記プリセット情報は、前記印刷機で用いられるインキの供給量を初期設定するためのインキ情報を含み、
前記印刷機は、前記インキ情報に基づいて、初期設定されることを特徴とする請求項３に記載の印刷機の情報共有システム。
【請求項５】
前記インキ情報は、単位面積当たりの絵柄の割合である絵柄面積率に応じて、インキの供給量を設定する変換関数として構成されたインキ供給量変換関数を含み、
前記情報端末は、蓄積される前記絵柄面積率とインキ供給量とに基づいて、前記インキ供給量変換関数を更新することで、前記インキ供給量変換関数の自己学習を実行することを特徴とする請求項４に記載の印刷機の情報共有システム。
【請求項６】
前記印刷機は、巻取紙からウェブを繰り出して供給する給紙装置と、前記給紙装置から繰り出されて搬送される前記ウェブに印刷を行う印刷装置と、前記ウェブに対する印刷の見当ズレを修正する見当修正装置と、を備えた輪転印刷機であり、
前記プリセット情報は、前記見当修正装置による修正量を初期設定するための見当プリセット情報を含み、
前記見当修正装置は、前記共有サーバから取得した前記見当プリセット情報に基づいて、初期設定されることを特徴とする請求項３に記載の印刷機の情報共有システム。
【請求項７】
前記印刷機は、巻取紙からウェブを繰り出して供給する給紙装置と、前記給紙装置から繰り出されて搬送される前記ウェブに印刷を行う印刷装置と、幅方向に延伸するウェブを修正するファンアウト修正装置と、を備えた輪転印刷機であり、
前記プリセット情報は、前記ファンアウト修正装置による修正量を初期設定するためのファンアウトプリセット情報を含み、
前記ファンアウト修正装置は、前記共有サーバから取得した前記ファンアウトプリセット情報に基づいて、初期設定されることを特徴とする請求項３に記載の印刷機の情報共有システム。
【請求項８】
前記印刷機は、巻取紙からウェブを繰り出して供給する給紙装置と、前記給紙装置から繰り出されて搬送される前記ウェブに印刷を行う印刷装置と、印刷後の前記ウェブを搬送するウェブパス装置と、前記ウェブパス装置により搬送された前記ウェブを断裁して折り畳む折機と、を備えた輪転印刷機であり、
前記ウェブパス装置は、前記折機における前記ウェブの断裁位置を調整可能なコンペンセータローラを有し、
前記プリセット情報は、前記コンペンセータの位置を初期設定するためのコンペンプリセット情報を含み、
前記コンペンセータローラは、前記共有サーバから取得した前記コンペンプリセット情報に基づいて、初期設定されることを特徴とする請求項３に記載の印刷機の情報共有システム。
【請求項９】
前記印刷機は、巻取紙からウェブを繰り出して供給する給紙装置と、前記給紙装置から繰り出されて搬送される前記ウェブに印刷を行う印刷装置と、印刷後の前記ウェブを搬送するウェブパス装置と、前記ウェブパス装置により搬送された前記ウェブを断裁して折り畳む折機と、を備えた輪転印刷機であり、
前記プリセット情報は、前記折機における前記ウェブへのニップ圧を初期設定するためのニップ圧プリセット情報を含み、
前記折機は、前記共有サーバから取得した前記ニップ圧プリセット情報に基づいて、初期設定されることを特徴とする請求項３に記載の印刷機の情報共有システム。
【請求項１０】
前記印刷機は、巻取紙からウェブを繰り出して供給する給紙装置と、前記給紙装置から繰り出されて搬送される前記ウェブに印刷を行う印刷装置と、印刷後の前記ウェブを搬送するウェブパス装置と、前記ウェブパス装置により搬送された前記ウェブを断裁して折り畳む折機と、を備えた輪転印刷機であり、
前記プリセット情報は、前記給紙装置から前記折機に至る前記ウェブのテンションを初期設定するためのテンションプリセット情報を含み、
前記ウェブのテンションは、前記共有サーバから取得した前記テンションプリセット情報に基づいて、初期設定されることを特徴とする請求項３に記載の印刷機の情報共有システム。
【請求項１１】
前記印刷機は、巻取紙からウェブを繰り出して供給する給紙装置と、前記給紙装置から繰り出されて搬送される前記ウェブに印刷を行う印刷装置と、を備えた輪転印刷機であり、
前記印刷装置は、刷版が巻回されると共にインキが供給される版胴と、前記版胴に対向して設けられたブランケットが巻回されたブランケット胴と、を有し、
前記印刷資材は、前記巻取紙と、前記インキと、前記ブランケットとを少なくとも含んでいることを特徴とする請求項１ないし１０のいずれか１項に記載の印刷機の情報共有システム。
【請求項１２】
前記共有サーバは、クラウドサーバであることを特徴とする請求項１ないし１１のいずれか１項に記載の印刷機の情報共有システム。
【発明の詳細な説明】
【技術分野】
【０００１】
本発明は、印刷資材を用いて印刷を行う印刷機の情報共有システムに関するものである。
【背景技術】
【０００２】
従来、印刷機の情報共有システムではないが、リモートアクセスしてきた契約利用企業の利用者に、コンテンツデータを提供する製造情報管理機能提供システムが知られている（例えば、特許文献１参照）。この製造情報管理機能提供システムは、製造実績情報を記憶する製造情報データベースと、製造情報データベースを検索して得られた検索結果をコンテンツデータとしてコンテンツ配信手段に伝える製造情報管理サーバと、を備えている。このため、製造情報管理機能提供システムでは、リモートアクセスしてきた契約利用企業の利用者に、製造実績情報を提供することが可能となる。
【先行技術文献】
【特許文献】
【０００３】
【特許文献１】特開２００３−２７１７０３号公報
【発明の概要】
【発明が解決しようとする課題】
【０００４】
ところで、印刷機としては、枚葉オフセット印刷機、商業用オフセット輪転印刷機、ディジタル印刷機（電子写真方式印刷機、インクジェット印刷機）および新聞用オフセット輪転印刷機（以下新聞輪転印刷機と略称）等がある。例えば、新聞輪転印刷機では、印刷資材として、印刷対象となるウェブを巻回した巻取紙、ウェブに転写されるインキ、およびウェブにインキを転写するブランケット等が用いられる。用いられる印刷資材が異なると、印刷資材の特性に応じて、新聞輪転印刷機の運転に関する設定に変更が生じる場合がある。特に、巻取紙（ウェブ）の紙種が異なると、印刷時におけるウェブの伸縮が異なってしまうため、新聞輪転印刷機におけるウェブの伸縮を修正するための設定に変更が生じる。このとき、新聞輪転印刷機の運転に関する設定は、新聞輪転印刷機の種別、印刷資材の特性に応じて、作業者が適宜行うことから、ウェブの印刷品質を確保するまでの作業時間が、作業者の熟練度に依存することになる。このため、用いられる印刷資材が変更された場合、ウェブの印刷品質を確保しながら、新聞輪転印刷機を早期に運転させることが困難な場合があった。
【０００５】
そこで、本発明は、印刷資材が変更されても、印刷品質を確保しつつ、印刷機を早期に運転させることが可能な印刷機の情報共有システムを提供することを課題とする。
【課題を解決するための手段】
【０００６】
本発明の印刷機の情報共有システムは、印刷機に接続され、印刷機の種別に関する機種情報と、印刷機で用いられる印刷資材に関する資材情報と、印刷資材を用いたときの印刷機の運転に関する運転情報とを取得可能な情報端末と、ネットワーク上に設けられ、機種情報、資材情報および運転情報を、情報端末との間で通信可能な共有サーバと、を備え、共有サーバは、機種情報、資材情報および運転情報を関連付けて記憶し、情報端末は、接続された印刷機の機種情報と印刷機で用いられる印刷資材の資材情報とに関連付けられた運転情報を、共有サーバから取得することを特徴とする。
【０００７】
この構成によれば、情報端末は、情報端末に接続された印刷機の種別、および情報端末に接続された印刷機で用いられる印刷資材に適した運転情報を、共有サーバから取得することができる。このため、共有サーバから取得した運転情報に基づいて、印刷機を運転させることで、印刷機は、印刷資材の特性に応じた運転を行うことができる。これにより、印刷資材が変更されても、印刷機は、印刷品質を確保しつつ、早期に運転を行うことが可能となる。
【０００８】
この場合、共有サーバとの間で通信可能に接続され、関連付けられた機種情報、資材情報および運転情報を共有サーバから取得し、取得した機種情報、資材情報および運転情報を分析して得られた分析情報を、共有サーバを介して情報端末へ提供可能な分析情報提供端末をさらに備えたことが好ましい。
【０００９】
この構成によれば、分析情報提供端末は、情報端末へ分析情報を提供することができる。このため、情報端末は、分析情報を取得することで、印刷資材の特性を考慮した有益な情報を取得することができる。
【００１０】
この場合、運転情報は、印刷機を初期設定するためのプリセット情報を含み、印刷機は、共有サーバから取得したプリセット情報に基づいて、初期設定されることが好ましい。
【００１１】
この構成によれば、共有サーバから取得したプリセット情報に基づいて、印刷機を初期設定することができるため、印刷資材の特性に応じた初期設定とすることができる。
【００１２】
この場合、プリセット情報は、印刷機で用いられるインキの供給量を初期設定するためのインキ情報を含み、印刷機は、インキ情報に基づいて、初期設定されることが好ましい。
【００１３】
この構成によれば、インキ情報に基づいて、インキの供給量を初期設定することができるため、印刷資材の特性に応じたインキの供給量とすることができる。
【００１４】
この場合、インキ情報は、単位面積当たりの絵柄の割合である絵柄面積率に応じて、インキの供給量を設定する変換関数として構成されたインキ供給量変換関数を含み、情報端末は、蓄積される絵柄面積率とインキ供給量とに基づいて、インキ供給量変換関数を更新することで、インキ供給量変換関数の自己学習を実行することが好ましい。
【００１５】
この構成によれば、印刷資材の特性に応じた、より高い精度のインキ供給量変換関数を導出して、このインキ供給量変換関数に基づいて、インキ供給量を初期設定することができる。
【００１６】
この場合、印刷機は、巻取紙からウェブを繰り出して供給する給紙装置と、給紙装置から繰り出されて搬送されるウェブに印刷を行う印刷装置と、ウェブに対する印刷の見当ズレを修正する見当修正装置と、を備えた新聞輪転印刷機であり、プリセット情報は、見当修正装置による修正量を初期設定するための見当プリセット情報を含み、見当修正装置は、共有サーバから取得した見当プリセット情報に基づいて、初期設定されることが好ましい。
【００１７】
この構成によれば、共有サーバから取得した見当プリセット情報に基づいて、見当修正装置を初期設定することができるため、印刷資材の特性に応じて、ウェブに対する印刷の見当ズレを修正することができる。
【００１８】
この場合、印刷機は、巻取紙からウェブを繰り出して供給する給紙装置と、給紙装置から繰り出されて搬送されるウェブに印刷を行う印刷装置と、幅方向に延伸するウェブを修正するファンアウト修正装置と、を備えた新聞輪転印刷機であり、プリセット情報は、ファンアウト修正装置による修正量を初期設定するためのファンアウトプリセット情報を含み、ファンアウト修正装置は、共有サーバから取得したファンアウトプリセット情報に基づいて、初期設定されることが好ましい。
【００１９】
この構成によれば、共有サーバから取得したファンアウトプリセット情報に基づいて、ファンアウト修正装置を初期設定することができるため、印刷資材の特性に応じて、幅方向に延伸するウェブを修正することができる。
【００２０】
この場合、印刷機は、巻取紙からウェブを繰り出して供給する給紙装置と、給紙装置から繰り出されて搬送されるウェブに印刷を行う印刷装置と、印刷後のウェブを搬送するウェブパス装置と、ウェブパス装置により搬送されたウェブを断裁して折り畳む折機と、を備えた輪転印刷機であり、ウェブパス装置は、折機におけるウェブの断裁位置を調整可能なコンペンセータローラを有し、プリセット情報は、コンペンセータの位置を初期設定するためのコンペンプリセット情報を含み、コンペンセータローラは、共有サーバから取得したコンペンプリセット情報に基づいて、初期設定されることが好ましい。
【００２１】
この構成によれば、共有サーバから取得したコンペンプリセット情報に基づいて、コンペンセータローラの位置を初期設定することができるため、印刷資材の特性に応じて、ウェブに対する最適な断裁位置となるように初期設定することができる。
【００２２】
この場合、印刷機は、巻取紙からウェブを繰り出して供給する給紙装置と、給紙装置から繰り出されて搬送されるウェブに印刷を行う印刷装置と、印刷後のウェブを搬送するウェブパス装置と、ウェブパス装置により搬送されたウェブを断裁して折り畳む折機と、を備えた輪転印刷機であり、プリセット情報は、折機におけるウェブへのニップ圧を初期設定するためのニップ圧プリセット情報を含み、折機は、共有サーバから取得したニップ圧プリセット情報に基づいて、初期設定されることが好ましい。
【００２３】
この構成によれば、共有サーバから取得したニップ圧プリセット情報に基づいて、折機のウェブに対するニップ圧を初期設定することができるため、印刷資材の特性に応じて、ウェブに対する最適なニップ圧となるように初期設定することができる。なお、折機は、ウェブに対してニップ圧を与えるものとして、ワリス、ニッピングローラおよび折込ローラを有しており、これらのニップ圧が初期設定される。
【００２４】
この場合、印刷機は、巻取紙からウェブを繰り出して供給する給紙装置と、給紙装置から繰り出されて搬送されるウェブに印刷を行う印刷装置と、印刷後のウェブを搬送するウェブパス装置と、ウェブパス装置により搬送されたウェブを断裁して折り畳む折機と、を備えた輪転印刷機であり、プリセット情報は、給紙装置から折機に至るウェブのテンションを初期設定するためのテンションプリセット情報を含み、ウェブのテンションは、共有サーバから取得したテンションプリセット情報に基づいて、初期設定されることが好ましい。
【００２５】
この構成によれば、共有サーバから取得したテンションプリセット情報に基づいて、ウェブのテンションを初期設定することができるため、印刷資材の特性に応じて、ウェブに対する最適なテンションとなるように初期設定することができる。
【００２６】
この場合、印刷機は、巻取紙からウェブを繰り出して供給する給紙装置と、給紙装置から繰り出されて搬送されるウェブに印刷を行う印刷装置と、を備えた新聞輪転印刷機であり、印刷装置は、刷版が巻回されると共にインキが供給される版胴と、版胴に対向して設けられたブランケットが巻回されたブランケット胴と、を有し、印刷資材は、巻取紙と、インキと、ブランケットとを少なくとも含んでいることが好ましい。
【００２７】
この構成によれば、印刷機は、巻取紙、インキおよびブランケットの特性に応じた運転を行うことができる。これにより、印刷機は、巻取紙、インキおよびブランケットが変更されても、ウェブに対する印刷品質を確保しつつ、早期に運転を行うことができる。
【００２８】
この場合、共有サーバは、クラウドサーバであることが好ましい。
【００２９】
この構成によれば、共有サーバをクラウドサーバとすることで、システムを構築するためのサーバを新たに用意する必要がなく、システムの管理コストを低減することができる。
【発明の効果】
【００３０】
本発明の印刷機の情報共有システムによれば、印刷資材が変更されても、印刷品質を確保しつつ、印刷機を早期に運転させることができる。
【図面の簡単な説明】
【００３１】
【図１】図１は、本実施例に係る情報共有システムの概略構成図である。
【図２】図２は、新聞輪転印刷機の概略構成図である。
【図３】図３は、印刷装置の概略構成図である。
【図４】図４は、インキキー開度情報を示す説明図である。
【発明を実施するための形態】
【００３２】
以下、添付した図面を参照して、本発明に係る印刷機の情報共有システムについて説明する。なお、以下の実施例によりこの発明が限定されるものではない。また、下記実施例における構成要素には、当業者が置換可能かつ容易なもの、或いは実質的に同一のものが含まれる。
【実施例】
【００３３】
図１は、本実施例に係る情報共有システムの概略構成図である。図１に示すように、情報共有システム１は、印刷機に関する情報を共有するシステムであり、印刷機としては、例えば、新聞輪転印刷機１０が適用されている。なお、以下では、情報共有システム１を、新聞輪転印刷機１０に適用して説明するが、この構成に限らない。つまり、印刷機としては、例えば、新聞輪転印刷機１０の他、枚葉オフセット印刷機、商業用オフセット輪転印刷機またはディジタル印刷機等があり、情報共有システム１を、これらの印刷機に適用してもよい。
【００３４】
情報共有システム１は、ネットワーク２上に設けられた共有サーバ３と、ネットワーク２に接続された情報端末４と、ネットワーク２に接続された情報提供端末（分析情報提供端末）５と、を備えている。共有サーバ３は、いわゆるクラウドサーバであり、クラウドサービスを提供する事業者によって管理されるサーバである。ただし、ここでいうクラウドサーバは、インターネット上でのパブリッククラウドに限らず、企業内ネットワークでの使用に限定された、いわゆるプライベートクラウドで共有サーバ３を構築してもよい。情報端末４は、新聞輪転印刷機１０に接続されている。情報端末４および情報提供端末５は、共有サーバ３と双方向に通信可能に構成され、新聞輪転印刷機１０に関する情報を共有サーバ３へ向けてアップロードしたり、共有サーバ３に記憶された情報をダウンロードしたりすることが可能となっている。ここで、情報端末４および情報端末４に接続された新聞輪転印刷機１０は、購入元の工場内に配設されている。一方、情報提供端末５は、新聞輪転印刷機１０を製造した製造元に配設されている。なお、詳細については後述する。
【００３５】
次に、図２を参照して、新聞輪転印刷機について説明する。図２は、新聞輪転印刷機の概略構成図である。図２に示すように、新聞輪転印刷機１０は、複数のウェブＷから折帖となる新聞を作成するものである。新聞輪転印刷機１０は、ウェブＷの搬送方向の上流側から、複数（図示では４台）の給紙装置１１と、複数（図示では４台）のインフィード装置１２と、複数（図示では４台）の印刷装置１３ａ，１３ｂと、ウェブパス装置１４と、折機１５とから構成され、制御装置１６によって制御されている。制御装置１６は、上記の情報端末４に接続されている。
【００３６】
各給紙装置１１には、それぞれウェブＷがロール状に巻かれた３つの巻取紙Ｒを保持する保持アーム２０が設けられ、この保持アーム２０を回動させることで、巻取紙Ｒを給紙位置に臨ませることができる。また、この各給紙装置１１には、図示しない紙継装置が設けられており、給紙位置で繰り出されている巻取紙Ｒが残り少なくなると、この紙継装置により給紙位置にある巻取紙Ｒに対して、待機位置にある巻取紙Ｒを紙継することができる。
【００３７】
各インフィード装置１２は、各ウェブＷを下流側の各印刷装置１３ａ，１３ｂへ向けて送り出すと共に、各ウェブＷのテンションを調整するものである。具体的に、インフィード装置１２は、ウェブＷの搬送方向の上流側から、図示しない駆動モータにより回転駆動するインフィードローラ２４と、ウェブＷに対し離接方向に移動してウェブＷのテンションを調整するダンサーローラ２３とを有している。インフィードローラ２４は、回転することでウェブＷを下流側の印刷装置１３ａ，１３ｂへ向けて搬送し、ダンサーローラ２３は、離接方向に移動することによりウェブＷのテンションを調整している。
【００３８】
複数の印刷装置１３ａ，１３ｂは、両面４色印刷を行う多色刷印刷装置１３ａと、両面２色印刷を行う２色刷印刷装置１３ｂとが設けられている。この多色刷印刷装置１３ａおよび２色刷印刷装置１３ｂは、各給紙装置１１から供給されたウェブＷに対して所定の印刷を行うことができる。なお、実施例１では、印刷装置１３ａ，１３ｂを、多色刷印刷装置１３ａと２色刷印刷装置１３ｂとにより構成したが、この構成に限定されるものではない。例えば、両面単色印刷を行う両面単色刷装置、一面４色または２色印刷を行う多色刷印刷装置など印刷物に応じて適宜各種印刷装置を組み合わせて使用すればよい。
【００３９】
ウェブパス装置１４は、ウェブＷの搬送方向に沿ってウェブＷの幅方向の中央部で裁断する複数のスリッタ２５、裁断したウェブＷの搬送経路を設定するための多数のガイドローラやターンバー２６、搬送方向におけるウェブＷの断裁位置を修正するためのコンペンセータローラ２７等が設けられている。従って、ウェブパス装置１４では、印刷装置１３ａ，１３ｂで印刷が施された各ウェブＷをスリッタ２５により裁断すると共に、裁断後の各ウェブＷをターンバー２６により搬送経路を変更し、所定の順番に重ね合わせる。
【００４０】
折機１５は、ウェブパス装置１４から送り出された複数のウェブＷを挟持して搬送する一対のローラ３２と、一対のローラ３２から送り出された複数のウェブＷを挟持して搬送する一対のローラ３３と、一対の各ローラ３３から送り出された複数のウェブＷを縦折りする三角板３４と、所定の長さで横裁断した後、更に横折りして所望の折帖を形成する図示しない折り装置を有している。三角板３４は、重ね合わせた複数のウェブＷを、ウェブＷの幅方向中央部を中心に、搬送方向に亘って折り畳んでいる。
【００４１】
ここで、新聞輪転印刷機１０による一連の印刷動作について説明する。先ず、各給紙装置１１から各インフィード装置１２を介して各印刷装置１３ａ，１３ｂに、ウェブＷが供給されると、各印刷装置１３ａ，１３ｂでは、各ウェブＷに対して４色刷や２色刷が両面に行われる。次に、各印刷装置１３ａ，１３ｂで印刷が施された複数のウェブＷは、ウェブパス装置１４において、スリッタ２５により搬送方向に沿って縦裁断されると共に、走行ルートが変更され、それぞれ所定の順番に重ね合わせられる。そして、ウェブパス装置１４により重ね合わされた複数のウェブＷが折機１５に導入されると、重ね合わされた複数のウェブＷは、縦折りされた後、所定の長さで横裁断され、横折りされて所望の折帖が作成された後、排出される。
【００４２】
次に、印刷装置１３ａ，１３ｂについて簡単に説明する。図３は、印刷装置の概略構成図である。なお、図３は、図２の左側に示す多色刷印刷装置１３ａを示しており、以下では、多色刷印刷装置１３ａを例に説明する。
【００４３】
多色刷印刷装置１３ａは、４つのインキ色である藍（Ｃ）、紅（Ｍ）、黄（Ｙ）、墨（Ｋ）ごとの４個の印刷ユニット４０ａ，４０ｂ，４０ｃ，４０ｄで構成されている。４個の印刷ユニット４０ａ，４０ｂ，４０ｃ，４０ｄは、ウェブＷの搬送方向の上流側から、墨の印刷ユニット４０ａ、藍の印刷ユニット４０ｂ、紅の印刷ユニット４０ｃ、黄の印刷ユニット４０ｄの順に配設されている。なお、これら各印刷ユニット４０ａ，４０ｂ，４０ｃ，４０ｄの並び順は、これに限らず、所望の並び順としてもよい。そして、これら各印刷ユニット４０ａ，４０ｂ，４０ｃ，４０ｄは、ウェブＷの表面および裏面に同時に印刷可能な構成となっている。そして、この各印刷ユニット４０ａ，４０ｂ，４０ｃ，４０ｄによりウェブＷが印刷されることで、印刷後のウェブＷの両面には、所望の印刷がなされる。
【００４４】
各印刷ユニット４０ａ，４０ｂ，４０ｃ，４０ｄは、ウェブＷを挟んで対向する一対のブランケット胴４１ａ，４１ｂ，４１ｃ，４１ｄと、各ブランケット胴４１ａ，４１ｂ，４１ｃ，４１ｄに対接する一対の版胴４３ａ，４３ｂ，４３ｃ，４３ｄとを有している。このとき、墨の印刷ユニット４０ａにおける一対のブランケット胴４１ａおよび藍の印刷ユニット４０ｂにおける一対のブランケット胴４１ｂは近接されて配設されており、紅の印刷ユニット４０ｃにおける一対のブランケット胴４１ｃおよび黄の印刷ユニット４０ｄにおける一対のブランケット胴４１ｄは近接されて配設されている。
【００４５】
各版胴４３ａ，４３ｂ，４３ｃ，４３ｄには、刷版４５が巻回されており、各色のインキが供給されている。各ブランケット胴４１ａ，４１ｂ，４１ｃ，４１ｄには、ブランケット４６が巻回されており、各版胴４３ａ，４３ｂ，４３ｃ，４３ｄからインキ画像が転写される。そして、各ブランケット胴４１ａ，４１ｂ，４１ｃ，４１ｄは、各版胴４３ａ，４３ｂ，４３ｃ，４３ｄから転写されたインキ画像をウェブＷに転写することで、ウェブＷに所定の印刷が施される。
【００４６】
また、印刷装置１３ａには、印刷装置１３ａの見当ズレを修正する見当修正機構（見当修正装置）３６と、幅方向に延伸したウェブＷの幅を修正するファンアウト修正機構（ファンアウト修正装置）３７と、が設けられている。
【００４７】
見当修正機構３６は、各版胴４３ａ，４３ｂ，４３ｃ，４３ｄを軸方向および円周方向に調整するものである。見当修正機構３６は、ウェブＷの幅方向において、各印刷ユニット４０ａ，４０ｂ，４０ｃ，４０ｄによる見当ズレが発生した場合、各版胴４３ａ，４３ｂ，４３ｃ，４３ｄを軸方向に適宜移動させることで、幅方向の見当ズレを修正することができる。また、見当修正機構３６は、ウェブＷの搬送方向において、各印刷ユニット４０ａ，４０ｂ，４０ｃ，４０ｄによる見当ズレが発生した場合、各版胴４３ａ，４３ｂ，４３ｃ，４３ｄを円周方向に適宜移動させることで、搬送方向の見当ズレを修正することができる。つまり、見当修正機構３６は、各版胴４３ａ，４３ｂ，４３ｃ，４３ｄの軸方向および円周方向への移動量が、見当ズレを修正するための修正量となっている。
【００４８】
ファンアウト修正機構３７は、各印刷ユニット４０ａ，４０ｂ，４０ｃ，４０ｄの間にそれぞれ配設されている。ファンアウト修正機構３７は、ウェブＷの幅方向に亘って設けられた複数のローラを有し、複数のローラをウェブＷの離接方向に進退させて、ウェブＷの一部を突出させることにより、幅方向に延伸したウェブＷの幅を修正している。ファンアウト修正機構３７は、幅方向にウェブＷが延伸している場合、ウェブＷに対し複数のローラを近づける方向に移動させることで、複数のローラをウェブＷに突き当てる。すると、複数のローラがウェブＷに突き当てられることにより、ウェブＷには複数の凸面が形成され、ウェブＷは波状となる。これにより、幅方向に延伸したウェブＷは、幅方向において収縮し、印刷前のウェブＷの幅に修正することができる、すなわちファンアウトを修正することができる。なお、複数のローラによりウェブＷに形成された凸面の突出量が大きければ大きいほど、ウェブＷの収縮量が大きくなるため、幅方向における伸び量が多いウェブＷを修正することができる。つまり、ファンアウト修正機構３７は、ウェブＷに対する複数のローラの押付量が、ファンアウトを修正するための修正量となっている。
【００４９】
このように、上記した新聞輪転印刷機１０では、印刷資材として、給紙装置１１から供給されるウェブＷ（巻取紙Ｒ）、ウェブＷに転写されるインキ、各ブランケット胴４１ａ，４１ｂ，４１ｃ，４１ｄに巻回されたブランケット４６等が用いられる。ここで、用いられる印刷資材が変更される場合、印刷資材の特性に応じて、新聞輪転印刷機１０の運転に関する設定を変更する必要がある。具体的に、印刷資材の変更としては、例えば、巻取紙Ｒの紙質を高白紙へ変更することであったり、インキを高濃度インキに変更することである。なお、高白紙とは、白色度の高い紙であり、高濃度インキとは、薄い膜厚で高い濃度となるインキである。また、新聞輪転印刷機１０の運転に関する設定の変更としては、例えば、見当修正機構３６による修正量の変更、ファンアウト修正機構３７による修正量の変更、各版胴４３ａ，４３ｂ，４３ｃ，４３ｄへ供給されるインキの供給量の変更、コンペンセータローラ２７によるウェブＷの搬送方向における断裁位置の変更、折機１５におけるウェブＷへのニップ圧（挟持圧）の変更、ウェブＷに付与されるテンションの変更等がある。
【００５０】
なお、印刷資材の変更、および新聞輪転印刷機１０の運転に関する設定の変更は、上述の例示した変更に限らない。例えば、新聞輪転印刷機１０の運転に関する設定の変更としては、上記の例示のほかに、ダンサーローラ２３によるウェブＷへのテンションの調整量がある。
【００５１】
そこで、本実施例では、上記した情報共有システム１を用いて、新聞輪転印刷機１０の運転に関する運転情報を、共有サーバ３から取得して、印刷資材の特性に応じた運転を実現している。以下、情報共有システム１について具体的に説明する。
【００５２】
情報端末４は、新聞輪転印刷機１０の種別に関する機種情報と、新聞輪転印刷機１０で用いられる印刷資材に関する資材情報と、新聞輪転印刷機１０の運転に関する運転情報とを取得可能となっている。この情報端末４は、機種情報、資材情報および運転情報を、接続された新聞輪転印刷機１０から取得可能となっており、また、共有サーバ３からも取得可能となっている。つまり、新聞輪転印刷機１０の制御装置１６は、機種情報、資材情報および運転情報を保持しており、情報端末４は、接続された新聞輪転印刷機１０の制御装置１６から機種情報、資材情報および運転情報を関連付けて取得する。そして、情報端末４は、関連付けた機種情報、資材情報および運転情報を、共有サーバ３へアップロード可能となっている。
【００５３】
ここで、機種情報は、新聞輪転印刷機１０の種別を特定するための情報であり、例えば、新聞輪転印刷機１０の固体識別番号等である。この機種情報は、新聞輪転印刷機１０の制御装置１６に予め記憶されている。資材情報は、新聞輪転印刷機１０に用いられる印刷資材を特定するための情報であり、例えば、巻取紙Ｒの紙種に関する情報、インキの種別に関する情報、ブランケットの種別に関する情報を含んで構成されている。この資材情報は、新聞輪転印刷機１０の印刷資材のセット時に、制御装置１６に入力される。運転情報は、新聞輪転印刷機１０の初期設定に関するプリセット情報、新聞輪転印刷機１０の運転履歴に関する履歴情報等を含んで構成されている。より具体的に、運転情報は、日付、運転時間、印刷速度、折帖の頁数、給紙装置１１から折機１５に至るまでのウェブＷの紙通し経路、インキの供給量を調整するためのインキキー開度情報（インキ情報）、見当修正機構３６の修正量の初期設定に関する見当プリセット情報、ファンアウト修正機構３７の修正量の初期設定に関するファンアウトプリセット情報、コンペンセータローラ２７の初期位置に関するコンペンプリセット情報、折機１５におけるニップ圧の初期設定に関するニップ圧プリセット情報、ウェブＷに付与されるテンションの初期設定に関するテンションプリセット情報等の情報を含んでいる。この運転情報は、プリセット情報が新聞輪転印刷機１０の制御装置１６に記憶され、履歴情報が新聞輪転印刷機１０の運転中に制御装置１６に随時記憶される。
【００５４】
ここで、図４を参照して、インキキー開度情報について説明する。図４は、インキキー開度情報を示す説明図である。図４に示すように、インキキー開度情報は、印刷装置１３ａ，１３ｂに設けられたインキキーの開度を制御するための情報である。なお、インキキーについて図示はしないが、インキキーは、各版胴４３ａ，４３ｂ，４３ｃ，４３ｄに応じて設けられ、各版胴４３ａ，４３ｂ，４３ｃ，４３ｄへ向けて供給するインキの供給量を調整するものである。インキキーは、その開度を大きくすることで、インキの供給量を増大させる一方で、その開度を小さくすることで、インキの供給量を減少させる。インキキー開度情報は、インキキー開度変換関数（インキ供給量変換関数）を有しており、インキキー開度変換関数は、ウェブＷに印刷される単位面積当たりの絵柄の割合である絵柄面積率に応じて、インキキーの開度を設定する変換関数として構成されている。このインキキー開度変換関数は、資材情報に関連付けられているため、情報端末４には、印刷資材に応じた複数のインキキー開度変換関数が記憶されている。具体的に、インキキー開度変換関数は、巻取紙Ｒの紙種、インキの種別（インキ種）、およびブランケットの種別（ブラン種）に応じて情報端末４に複数記憶されている。紙種としては、巻取紙Ｒの製造会社と、更紙または高白紙等の紙質とであり、インキ種としては、インキの製造会社と、標準インキまたは高濃度インキ等のインキの性質と、インキの色とであり、ブランケット４６の種別としては、ブランケット４６の製造会社と、銘柄とである。なお、詳細は後述するが、情報端末４は、インキキー開度変換関数を適宜更新することで、自己学習機能を実現しており、図４に示すＬ１が学習前のインキキー開度変換関数となっており、Ｌ２が学習後のインキキー開度変換関数となっている。
【００５５】
次に、プリセット情報について説明する。上記したように、プリセット情報としては、例えば、見当プリセット情報、ファンアウトプリセット情報、コンペンプリセット情報、ニップ圧プリセット情報およびテンションプリセット情報がある。見当プリセット情報は、上記の見当修正機構３６による各版胴４３ａ，４３ｂ，４３ｃ，４３ｄの軸方向および円周方向における移動量が所定の移動量となるように初期設定するための情報である。ファンアウトプリセット情報は、上記のファンアウト修正機構３７によるローラの押付量が所定の押付量となるように初期設定するための情報である。コンペンプリセット情報は、上記のコンペンセータローラ２７の位置が、ウェブＷに対して最適な断裁位置となるように初期設定するための情報である。
【００５６】
ニップ圧プリセット情報は、折機１５のワリス、ニッピングローラおよび折込ローラのニップ圧が所定のニップ圧となるように初期設定するための情報である。なお、ワリス、ニッピングローラおよび折込ローラについて図示はしないが、ワリスは、搬送方向において三角板３４の上流側に設けられ、重ね合わせられた複数のウェブＷを挟持するものである。ニッピングローラは、搬送方向において三角板３４の下流側に設けられ、三角板３４を通過した複数のウェブＷを挟持するものである。折込ローラは、搬送方向においてニッピングローラの下流側に設けられ、縦折りされた複数のウェブＷを挟持しながら、所定の長さに裁断するものである。
【００５７】
テンションプリセット情報は、図２に示すＰ１からＰ４における位置でのテンションが所定のテンションとなるように初期設定するための情報である。Ｐ１のテンションは、給紙装置１１から給紙されるウェブＷのテンションである。Ｐ２のテンションは、インフィード装置１２から印刷装置１３ａ，１３ｂへ供給されるウェブＷのテンションである。Ｐ３のテンションは、印刷装置１３ａ，１３ｂから排出されるウェブＷのテンションである。Ｐ４のテンションは、ウェブパス装置１４から折機１５へ供給されるウェブＷのテンションである。
【００５８】
上記した各種プリセット情報は、資材情報に関連付けられているため、情報端末４には、印刷資材に応じた複数の各種プリセット情報が記憶されている。具体的に、各種プリセット情報は、インキキー開度変換関数と同様に、巻取紙Ｒの紙種、インキの種別（インキ種）およびブランケットの種別（ブラン種）に応じて情報端末４に複数記憶されている。
【００５９】
共有サーバ３は、情報端末４からアップロードされた機種情報、資材情報および運転情報を関連付けて蓄積している。また、共有サーバ３は、情報端末４のリクエストに基づき、蓄積された運転情報を情報端末４へ向けて送信する。つまり、情報端末４は、接続された新聞輪転印刷機１０の機種情報および接続された新聞輪転印刷機１０に用いられる印刷資材の印刷情報に関連付けられた運転情報を、共有サーバ３からダウンロードする。また、共有サーバ３は、情報提供端末５からアップロードされた各種情報を記憶している。
【００６０】
情報提供端末５は、共有サーバ３に蓄積された、関連付けられた機種情報、資材情報および運転情報をダウンロード可能となっている。ダウンロードされた機種情報、資材情報および運転情報は、情報提供端末５または他の分析装置によって分析される。そして、情報提供端末５は、分析結果を分析情報として、共有サーバ３にアップロードする。なお、分析情報としては、例えば、分析して得られた印刷資材の特性を補正因子として組み込んだ新聞輪転印刷機１０を制御するためのプログラムであったり、あるいは、新聞輪転印刷機１０の機種の特性または印刷資材の特性を考慮したブランケット等の消耗品の交換に関する情報である。なお、分析情報は、上記した例示に限定されず、新聞輪転印刷機１０にとって有益となる情報であれば、いずれの情報であってもよい。なお、分析情報の共有サーバ３へのアップロードは、分析後、製造元から適宜配信してもよいし、所定の時間毎に自動配信してもよい。そして、情報端末装置５は、共有サーバ３を介して情報端末４に分析情報を配信する。
【００６１】
次に、情報共有システム１を用いて、印刷資材が変更された新聞輪転印刷機１０を運転するまでの動作の一例について説明する。先ず、新聞輪転印刷機１０の運転前において、新聞輪転印刷機１０に巻取紙Ｒ、インキおよびブランケット４６等の印刷資材がセットされ、セットされた印刷資材の資材情報が制御装置１６に入力される。情報端末４は、制御装置１６に入力された資材情報と、制御装置１６が保持する機種情報とを取得する。この後、情報端末４は、共有サーバ３にアクセスし、取得した機種情報および資材情報に基づいて、共有サーバ３に蓄積された、機種情報および資材情報に関連付けられる運転情報を取得する。情報端末４は、運転情報を取得すると、運転情報を制御装置１６へ向けて送信する。制御装置１６は、取得した運転情報に含まれるプリセット情報に基づいて、新聞輪転印刷機１０の初期設定を行う。例えば、制御装置１６は、見当プリセット情報に基づいて、新聞輪転印刷機１０の見当修正機構３６の移動量を設定する。また、制御装置１６は、ファンアウトプリセット情報に基づいて、新聞輪転印刷機１０のファンアウト修正機構３７の押付量を設定する。また、制御装置１６は、コンペンプリセット情報に基づいて、新聞輪転印刷機１０のコンペンセータローラ２７の位置を設定する。また、制御装置１６は、ニップ圧プリセット情報に基づいて、折機１５のワリス、ニッピングローラおよび折込ローラのニップ圧を設定する。また、制御装置１６は、テンションプリセット情報に基づいて、図２に示すＰ１からＰ４における位置でのテンションを設定する。また、詳細は後述するが、制御装置１６は、インキキー開度変換関数Ｌ１に基づいて、絵柄面積率に応じたインキキーの開度を設定する。これにより、制御装置１６は、印刷資材の特性に応じて、新聞輪転印刷機１０を初期設定することが可能となる。
【００６２】
そして、制御装置１６は、運転情報に基づいて初期設定された新聞輪転印刷機１０を運転させる。制御装置１６は、新聞輪転印刷機１０の運転を開始すると、先ず、ウェブＷに対して試し刷りを行い、ウェブＷに対する印刷が安定した後、ウェブＷに対して本刷りを行う。このとき、制御装置１６は、新聞輪転印刷機１０の運転中において、新聞輪転印刷機１０の履歴情報を蓄積する。そして、新聞輪転印刷機１０の運転が終了すると、制御装置１６には、機種情報、資材情報および運転情報が関連付けて記憶される。新聞輪転印刷機１０の運転終了後、情報端末４は、制御装置１６から、関連付けられた機種情報、資材情報および運転情報を取得し、取得した機種情報、資材情報および運転情報を共有サーバ３へアップロードする。
【００６３】
次に、情報端末４によるインキキー開度変換関数の自己学習機能に関する制御動作の一例について説明する。図４に示すインキキー開度変換関数のうち、Ｌ１が学習前のインキキー開度変換関数となっており、Ｌ２が学習後のインキキー開度変換関数となっている。上記したように、制御装置１６は、学習前のインキキー開度変換関数Ｌ１に基づいて、絵柄面積率に応じたインキキー開度を設定する。この後、新聞輪転印刷機１０を運転させ、ウェブＷに対する試し刷りが適切（ＯＫ）となるまで、インキキー開度は調整される。制御装置１６は、ウェブＷに対する試し刷りが適切であるとして本刷りに移行すると、適切とされたときのインキキー開度と絵柄面積率と資材情報とからなる印刷ジョブデータを記憶して蓄積する。
【００６４】
情報端末４は、記憶した印刷ジョブデータから、学習前のインキキー開度変換関数Ｌ１に対して大きく変化していないインキキー開度を抽出する。これは、学習後のインキキー開度変換関数Ｌ２の精度を高めるために、イレギュラーとなる特異点を排除するためである。なお、抽出されるインキキー開度は、例えば、当該インキキーの絵柄面積率に対しインキキー開度変換関数Ｌ１にて変換されたインキキー開度の±１０％となる範囲のインキキー開度である。そして、情報端末４は、各絵柄面積率に対して抽出した複数のインキキー開度から公知の補間演算等を使って、学習後のインキキー開度変換関数Ｌ２を導出する。導出された学習後のインキキー開度変換関数Ｌ２は、情報端末４に記憶される。なお、学習後のインキキー開度変換関数Ｌ２は、情報端末４から共有サーバ３にアップロードしてもよい。また、情報端末４は、共有サーバ３からインキキー開度変換関数をダウンロードし、取得したインキキー開度変換関数を含めて学習後のインキキー開度変換関数Ｌ２を導出してもよい。
【００６５】
以上のように、本実施例の構成によれば、情報端末４は、情報端末４に接続された新聞輪転印刷機１０の種別、および情報端末４に接続された新聞輪転印刷機１０で用いられる印刷資材に適した運転情報を、共有サーバ３から取得することができる。このため、共有サーバ３から取得した運転情報に基づいて、新聞輪転印刷機１０を運転させることで、新聞輪転印刷機１０は、印刷資材の特性、少なくとも巻取紙Ｒ、インキおよびブランケットの特性に応じた運転を行うことができる。これにより、印刷資材が変更されても、新聞輪転印刷機１０は、印刷品質を確保しつつ、早期に運転を行うことが可能となる。
【００６６】
また、本実施例の構成によれば、情報提供端末５は、情報端末４へ分析情報を提供することができる。このため、情報端末４は、分析情報を取得することで、印刷資材の特性を考慮した有益な情報を取得することができる。例えば、制御装置１６は、印刷資材の特性を反映した制御プログラムに基づいて、新聞輪転印刷機１０を運転することで、印刷資材の特性に応じた運転を好適に行うことが可能となる。
【００６７】
また、本実施例の構成によれば、制御装置１６は、共有サーバ３から取得したプリセット情報に基づいて、新聞輪転印刷機１０を初期設定することができるため、印刷資材の特性に応じた初期設定とすることができる。具体的に、制御装置１６は、共有サーバ３から取得した見当プリセット情報に基づいて、見当修正機構３６を初期設定することができるため、印刷資材の特性に応じて、ウェブＷに対する印刷の見当ズレを修正することができる。また、制御装置１６は、共有サーバ３から取得したファンアウトプリセット情報に基づいて、ファンアウト修正機構３７を初期設定することができるため、印刷資材の特性に応じて、幅方向に延伸するウェブＷを修正することができる。
【００６８】
また、本実施例の構成によれば、共有サーバ３をクラウドサーバとすることで、情報提供システム１を構築するためのサーバを新たに用意する必要がないため、情報提供システム１の管理コストを低減することができる。
【００６９】
なお、本実施例では、共有サーバ３をクラウドサーバとし、工場間での各種情報の共有を行ったが、共有サーバ３を工場内に設け、工場内での各種情報の共有を図ってもよい。
【符号の説明】
【００７０】
１  情報共有システム
２  ネットワーク
３  共有サーバ
４  情報端末
５  情報提供端末
１０  新聞輪転印刷機
１１  給紙装置
１２  インフィード装置
１３ａ，１３ｂ  印刷装置
１４  ウェブパス装置
１５  折機
１６  制御装置
２０  保持アーム
２３  ダンサーローラ
２４  インフィードローラ
２５  スリッタ
２６  ターンバー
２７  コンペンセータローラ
３６  見当修正機構
３７  ファンアウト修正機構
４０ａ，４０ｂ，４０ｃ，４０ｄ  印刷ユニット
４１ａ，４１ｂ，４１ｃ，４１ｄ  ブランケット胴
４３ａ，４３ｂ，４３ｃ，４３ｄ  版胴
４５  刷版
４６  ブランケット
Ｗ  ウェブ
Ｒ  巻取紙
【図１】
2013169721.tif 000003
【図２】
2013169721.tif 000004
【図３】
2013169721.tif 000005
【図４】
2013169721.tif 000006